(57)【特許請求の範囲】
【請求項１】
その裏面に粘着剤層を有する上側ラベル基材と、この粘着剤層に対向するようにその表面に剥離剤層を有する下側ラベル基材と、を積層した積層ラベルであって、前記上側ラベル基材は、矩形状であり、その一方の周縁部には前記粘着剤層を有し、対向する前記下側ラベル基材には剥離剤非形成層を備え、他の三方を囲んだ三方向の周縁部にベタ印刷層を設けるとともに、前記ベタ印刷層を前記下側ラベル基材の前記剥離剤層に対向させてあることを特徴とする積層ラベル。
【請求項２】
前記上側ラベル基材あるいは前記下側ラベル基材のいずれか一方は、前記下側ラベル基材あるいは前記上側ラベル基材のいずれか他方から突出しているとともに、前記下側ラベル基材から分離し始めるその開封部に臨む突出部を有することを特徴とする請求項１記載の積層ラベル。
【請求項３】
前記上側ラベル基材の前記裏面に形成した前記ベタ印刷層以外の前記粘着剤層に、所定内容の情報を印刷する印刷層を積層することを特徴とする請求項１記載の積層ラベル。
【請求項４】
前記印刷層は、これを網点印刷により形成することを特徴とする請求項３記載の積層ラベル。
【発明の詳細な説明】
【技術分野】
【０００１】
本発明は積層ラベルにかかるもので、とくに応募券や当たり券などに利用される積層ラベルに関するものである。
【背景技術】
【０００２】
従来の積層ラベルについて、図９および図１０にもとづき概説する。
図９は、積層ラベル１の斜視図、図１０は、同、縦断面図であって、積層ラベル１は、上側ラベル基材２と、下側ラベル基材３と、を有する。
上側ラベル基材２の裏面側に、粘着剤層４を設けているとともに、下側ラベル基材３の表面側には、この粘着剤層４に対向するように剥離剤層５を設けている。
【０００３】
積層ラベル１自体は、応募券あるいは当たり券など任意の目的に使用可能とするもので、その使用目的に応じて、上側ラベル基材２の表面に所定内容の印刷を行うとともに、必要に応じて、たとえば図１０に示すように、商品の説明や応募方法などについて、その裏面側にも上側印刷層６を形成し、あるいは下側ラベル基材３の表面側にも下側印刷層７を形成しておくことができる。
【０００４】
なお、下側ラベル基材３の裏面側に貼付け用粘着剤層８を設け、貼付け用粘着剤層８に剥離紙９を仮着可能として、剥離紙９を剥離することにより、貼付け用粘着剤層８により積層ラベル１自体を所定の商品その他（図示せず）に貼り付けることも可能である。
【０００５】
こうした構成の積層ラベル１では、粘着剤層４と剥離剤層５との間の境界面において上側ラベル基材２を下側ラベル基材３から剥離（開封）することにより、内側の上側印刷層６あるいは下側印刷層７を視認可能とするか、あるいは上側ラベル基材２を所定の応募住所に送付する。
【０００６】
しかしながら、粘着剤層４の粘着剤が上側ラベル基材２および下側ラベル基材３の積層構造から外方にはみ出して上側ラベル基材２および下側ラベル基材３の境界層部分（とくに下側ラベル基材３の側端部分）を覆うように移動してはみ出し部４Ａとなるため、下側ラベル基材３から上側ラベル基材２を分離しにくいという問題、さらには、スムーズに剥がしにくいという問題がある。
もちろん、このはみ出し部４Ａが他の部分に付着して取扱いに支障を生ずるという問題がある。
【０００７】
【特許文献１】特開２００５−３００９０９号公報
【発明の開示】
【発明が解決しようとする課題】
【０００８】
本発明は以上のような諸問題にかんがみなされたもので、上側ラベル基材の下側ラベル基材からの剥離分離ないし開封を確実に、かつ容易に行うことができるようにした積層ラベルを提供することを課題とする。
【０００９】
また本発明は、粘着剤層が上側ラベル基材および下側ラベル基材の側端部ないし開封部に、はみ出すことがないようにした積層ラベルを提供することを課題とする。
【００１０】
また本発明は、上側ラベル基材の開封部の粘着力を他の部分（領域）に対して低減させ、この開封部において剥がすきっかけを備えることができるようにした積層ラベルを提供することを課題とする。
【課題を解決するための手段】
【００１１】  すなわち本発明は、上側ラベル基材の開封部ないしはその周縁部に網点印刷などによるベタ印刷層を形成することに着目したもので、その裏面に粘着剤層を有する上側ラベル基材と、この粘着剤層に対向するようにその表面に剥離剤層を有する下側ラベル基材と、を積層した積層ラベルであって、上記上側ラベル基材は、矩形状であり、その一方の周縁部には上記粘着剤層を有し、対向する前記下側ラベル基材には剥離剤非形成層を備え、他の三方を囲んだ三方向の周縁部にベタ印刷層を設けるとともに、上記ベタ印刷層を上記下側ラベル基材の前記剥離剤層に対向させてあることを特徴とする積層ラベルである。【００１６】
上記上側ラベル基材あるいは上記下側ラベル基材のいずれか一方は、上記下側ラベル基材あるいは上記上側ラベル基材のいずれか他方から突出しているとともに、上記下側ラベル基材から分離し始めるその開封部に臨む突出部を有することができる。
【００１７】
上記上側ラベル基材の上記裏面に形成した上記ベタ印刷層以外の上記粘着剤層に、所定内容の情報を印刷する印刷層を積層することができる。
【００１８】
上記印刷層は、これを網点印刷により形成することができる。
【００１９】
上記上側ラベル基材の上記粘着剤層は、上記上側ラベル基材の裏面の全面にこれを形成するとともに、上記下側ラベル基材の上記剥離剤層は、上記下側ラベル基材の表面の一部を剥離剤非形成層として残してこれを形成することができる。
【発明の効果】
【００２０】
本発明による積層ラベルにおいては、上側ラベル基材の開封部ないしはその周縁部にベタ印刷層を形成するようにしたので、上側ラベル基材の裏面における粘着剤層の粘着剤が上側ラベル基材および下側ラベル基材の境界面の側端部にはみ出すことがなく、開封部からの上側ラベル基材の剥がし操作を確実かつ容易に実行可能である。
【発明を実施するための最良の形態】
【００２１】
本発明は、上側ラベル基材の粘着剤層の粘着機能を抑制するようなベタ印刷部をその開封部に位置する領域に設けたので、上側ラベル基材における開封部からの剥がし操作を確実かつ容易に実行可能な積層ラベルを実現した。
【実施例】
【００２２】
つぎに本発明の第１の実施例による積層ラベル１０を図１および図２にもとづき説明する。ただし、図９および図１０と同様の部分には同一符号を付し、その詳述はこれを省略する。
図１は、積層ラベル１０の平面図、図２は、図１のＩＩ−ＩＩ線断面図であって、積層ラベル１０は、その裏面に前記粘着剤層４を有する前記上側ラベル基材２と、この粘着剤層４に対向するようにその表面に前記剥離剤層５を有する前記下側ラベル基材３と、を積層している。
上側ラベル基材２および下側ラベル基材３は任意の形状たとえば、ともに矩形状であり、粘着剤層４が剥離剤層５に対向する面側において、上側ラベル基材２を下側ラベル基材３から分離し始めるその開封部１１に位置している領域にベタ印刷層１２を積層印刷している。
このベタ印刷層１２は、粘着剤層４に積層可能な任意のインキ剤を用いた、たとえば網点１００％による網点印刷であって、このベタ印刷層１２の下層部分の粘着剤層４の粘着機能を抑制し、ないしは事実上消失させるとともに、これを下側ラベル基材３の剥離剤層５に対向させている。
【００２３】
開封部１１は、たとえば積層ラベル１０（上側ラベル基材２）の一辺（周縁部）であって、この開封部１１から上側ラベル基材２をつまんで下側ラベル基材３から剥離し、分離し始める部分である。
すなわち、上側ラベル基材２の少なくとも一方向の周縁部にベタ印刷層１２を設けるもので、開封部１１に位置するこのベタ印刷層１２は、上側ラベル基材２の一辺全体でもよく、その一部領域であってもよい。
図示は省略するが、上側ラベル基材２の二方向の周縁部にベタ印刷層１２を設けることも可能である。
【００２４】
上側ラベル基材２の裏面に形成したベタ印刷層１２以外の粘着剤層４には、網点印刷により所定内容の情報を印刷し、網点印刷層１３とする。
この網点印刷層１３による所定内容の情報は、たとえば商品説明分あるいは応募方法説明文やその他任意の内容であって、網点印刷における網点の濃度を調節して粘着剤層４の粘着力を調整可能である。
なお図２においては、粘着剤層４に積層したベタ印刷層１２および網点印刷層１３と剥離剤層５との境界面を分離した状態で描いてある。
【００２５】
上側ラベル基材２の粘着剤層４は、上側ラベル基材２の裏面の全面にこれを形成するとともに、下側ラベル基材３の剥離剤層５は、下側ラベル基材３の表面の一部を剥離剤非形成層１４として残してこれを形成するようにしている。
【００２６】
こうした構成の積層ラベル１０において、下側ラベル基材３から上側ラベル基材２を剥がそうとする際には、開封部１１の部分において上側ラベル基材２を指に引っかければ、ベタ印刷層１２があるために剥離剤層５に対向している粘着剤層４の粘着機能が抑制され、上側ラベル基材２を下側ラベル基材３から確実かつ容易に剥離することができる。
しかも、開封部１１の部分にはベタ印刷層１２が存在しているので、この領域における粘着剤層４が外部に漏れ出るおそれはなく（前記はみ出し部分４Ａ（図１０参照）が発生することなく）、開封部１１への指の引っかけも確実かつ容易である。
【００２７】
なお、下側ラベル基材３の部分における剥離剤非形成層１４に上側ラベル基材２の粘着剤層４が貼り付き、開封部１１とは反対側の周縁部において上側ラベル基材２および下側ラベル基材３の一体性を保証するとともに、下側ラベル基材３から上側ラベル基材２の分離も可能としている。
【００２８】
図３は、本発明の第２の実施例による積層ラベル２０の平面図、図４は、図３のＩＶ−ＩＶ線断面図であって、積層ラベル２０は、基本的構成は、上述の積層ラベル１０と同様であるが、上側ラベル基材２あるいは下側ラベル基材３のいずれか一方は、下側ラベル基材３あるいは上側ラベル基材２のいずれか他方から突出しているとともに、開封部１１に臨む突出部２１を有する。
【００２９】
図示の例では、下側ラベル基材３に開封部１１に臨む突出部２１を形成しているので、上側ラベル基材２を下側ラベル基材３から剥離する際の目印となる。
なお、上側ラベル基材２に突出部２１を形成すれば、この突出部２１をつまみ部分として利用可能である。
【００３０】
こうした構成の積層ラベル２０において、上側ラベル基材２を下側ラベル基材３から剥離操作し始める際に、開封部１１に位置している突出部２１がガイド部あるいはつまみ部となるので、さらに上側ラベル基材２の剥離操作が容易である。
【００３１】
図５は、本発明の第３の実施例による積層ラベル３０の平面図、図６は、図５のＶＩ−ＶＩ線断面図、図７は、図５のＶＩＩ−ＶＩＩ線断面図であって、積層ラベル３０における上側ラベル基材２および下側ラベル基材３はともに矩形状であって、上側ラベル基材２の三方向の周縁部にベタ印刷層１２を設けている。
【００３２】
図８は、上側ラベル基材２の裏面側および下側ラベル基材３の表面側を示すように、上側ラベル基材２および下側ラベル基材３を分離して示した展開平面図であって、ベタ印刷層１２は、剥離剤非形成層１４を設けた一辺以外の上側ラベル基材２の三辺を囲っている。
【００３３】
こうした構成の積層ラベル３０において、ベタ印刷層１２が上側ラベル基材２の三方を囲んでいるため、この三辺からは粘着剤層４の粘着剤が漏れ出ることがないとともに、剥離剤非形成層１４を設けた一辺以外のどの辺をつまんでも開封部１１として簡単に下側ラベル基材３から上側ラベル基材２を剥離して分離可能である。
【図面の簡単な説明】
【００３４】
【図１】本発明の第１の実施例による積層ラベル１０の平面図である。
【図２】同、図１のＩＩ−ＩＩ線断面図である。
【図３】本発明の第２の実施例による積層ラベル２０の平面図である。
【図４】同、図３のＩＶ−ＩＶ線断面図である。
【図５】本発明の第３の実施例による積層ラベル３０の平面図である。
【図６】同、図５のＶＩ−ＶＩ線断面図である。
【図７】同、図５のＶＩＩ−ＶＩＩ線断面図である。
【図８】同、上側ラベル基材２の裏面側および下側ラベル基材３の表面側を示すように、上側ラベル基材２および下側ラベル基材３を分離して示した展開平面図である。
【図９】従来の積層ラベル１の斜視図である。
【図１０】同、縦断面図である。
【符号の説明】
【００３５】
１  積層ラベル（従来、図９）
２  上側ラベル基材
３  下側ラベル基材
４  粘着剤層
４Ａ  粘着剤層４のはみ出し部（図１０）
５  剥離剤層
６  上側印刷層
７  下側印刷層
８  貼付け用粘着剤層
９  剥離紙
１０  積層ラベル（第１の実施例、図１）
１１  開封部
１２  ベタ印刷層
１３  網点印刷層
１４  剥離剤非形成層
２０  積層ラベル（第２の実施例、図３）
２１  突出部
３０  積層ラベル（第３の実施例、図５）
【図１】
0005290550.tif 000002
【図２】
0005290550.tif 000003
【図３】
0005290550.tif 000004
【図４】
0005290550.tif 000005
【図５】
0005290550.tif 000006
【図６】
0005290550.tif 000007
【図７】
0005290550.tif 000008
【図８】
0005290550.tif 000009
【図９】
0005290550.tif 000010
【図１０】
0005290550.tif 000011